(57)【要約】【課題】従来のカシメ付け作業を省略すると共にカシメ強度不足による問題を解消すると共に、ランナー本体の組み立て作業の手間とコストを大幅に削減すること。【解決手段】ランナー縦軸３２の下端から上端に向かって、ランナー連結部材４０に穿孔されたねじ孔１１１の下面に当接する当接部３２ａと、ランナー連結部材４０のねじ孔１１１に螺合するねじ部３２ｂと、ランナー本体２４に穿孔された縦孔部２４ａに挿入される挿入部３２ｃとがこの順に形成され、ねじ部３２ｂには、ねじ部３２ｂに螺合しているランナー連結部材４０をランナー縦軸３２の当接部３２ａに向かって締め付けるための締結用ナット１１２が螺着され、挿入部３２ｃには、ランナー本体２４の縦孔部２４ａに対して挿入部３２ｃを回転自在に係止するための抜け止め部材１２０が設けられたランナー装置である。【選択図】図１
2007315106.tif 000002
【特許請求の範囲】
【請求項１】
上レールに走行自在に支持されるローラーを有するランナー本体と、引戸の上部に取着されたランナー連結部材と、ランナー連結部材とランナー本体とを連結するランナー縦軸とを備えた引戸のランナー装置において、前記ランナー縦軸の下端から上端に向かって、ランナー連結部材に穿孔されたねじ孔の下面に当接する当接部と、ランナー連結部材のねじ孔に螺合するねじ部と、ランナー本体に穿孔された縦孔部に挿入される挿入部とがこの順に形成され、前記ねじ部には、ねじ部に螺合しているランナー連結部材をランナー縦軸の当接部に向かって締め付けるための締結用ナットが螺着され、前記挿入部には、ランナー本体の縦孔部に対して挿入部を回転自在に係止するための抜け止め部材が設けられてなることを特徴とする引戸のランナー装置。
【請求項２】
上レールに走行自在に支持されるローラーを有するランナー本体と、引戸の上部に取着されたランナー連結部材と、ランナー連結部材とランナー本体とを連結するランナー縦軸とを備えた引戸のランナー装置において、前記ランナー縦軸の下端側には、ランナー連結部材に穿孔されたねじ孔に螺合するねじ部が形成されると共に該ねじ部にランナー連結部材に向かって締め付けられる締結用ナットが螺着され、ランナー縦軸の上端側には、ランナー本体に穿孔された縦孔部に挿入される挿入部が形成されると共に該挿入部にランナー本体の縦孔部に対して挿入部を回転自在に係止するための抜け止め部材が設けられてなることを特徴とする引戸のランナー装置。
【請求項３】
前記ランナー縦軸の挿入部に設けられる抜け止め部材が、挿入部に装着される止め輪、或いは、挿入部に一体形成される鍔部のいずれかで構成されていることを特徴とする請求項１又は請求項２のいずれか一項に記載の引戸のランナー装置。
【発明の詳細な説明】
【技術分野】
【０００１】
本発明は、上レールに案内されて開閉移動する上吊り式の引戸を備えた引戸のランナー装置に関するものである。
【背景技術】
【０００２】
従来から、上吊り式の引戸のランナー装置が上レールに走行自在に支持されて開閉移動する引戸装置が知られており、このランナー装置は、上レールに走行自在に支持されるローラーを有するランナー本体と、引戸の上部に取着されたランナー連結部材と、ランナー連結部材とランナー本体とを連結するランナー縦軸とを備え、ローラーを上レールに沿って転動させることで引戸の開閉移動がなされるようになっている（例えば、特許文献１参照）。
【０００３】
上記特許文献１に見られる従来例では、図１１に示すように、ローラー３４を有するランナー本体２４は、互いに直交するローラー横軸３１とランナー縦軸３２とによって複数方向に回転自由度を持っているため、直進だけでなく、曲進の場合の走行の安定感も同時に得られるようになる。図１１では、樹脂製のローラーブロック３０で構成されるランナー本体２４の横方向に貫通する孔３３にローラー横軸３１を貫通させ、ローラー横軸３１の両端に一対のローラー３４が回転自在に取り付けられている。また、ローラー横軸３１の先端３１ａをカシメることで、ローラー３４はローラー横軸３１に取り付けられている。またこのとき、ローラー３４の外側面３４ｂには凹段部３４ａが形成され、ローラー横軸３１の先端３１ａのカシメ部分がローラー３４の外側面３４ｂよりも外方に突出しないようにしてある。さらにランナー本体２４のセンター位置には縦方向に座ぐり孔３５が形成され、ランナー縦軸３２を座ぐり孔３５からローラー横軸３１の中心に設けた貫通孔３６を通して、引戸１〜３側に取り付けたＬ形金具からなるランナー連結部材４０に対してカシメ付けされている。これによりローラー３４は、互いに直交するローラー横軸３１とランナー縦軸３２とによって複数方向に回転自由度を持っているため、直進だけでなく、曲進の場合の走行の安定感も同時に得られるようになっている。なお図中の２５ａ，２５ｂはガイド部材にてガイドされる補助ローラーである。
【０００４】
しかしながら従来ではランナー縦軸３２の下端を、引戸に取着されるランナー連結部材４０に対してカシメ付けしているため、引戸の開閉時に引戸が曲進したりする場合にカシメ部分に大きな負担がかかり、特にカシメ強度が不足している場合はランナー縦軸３２のカシメ部分でガタツキや外れが生じやすくなる。このため従来ではランナー縦軸３２のカシメ強度を十分に高める必要があり、ランナー本体２４の組み立て作業に手間とコストがかかるという問題があった。
【特許文献１】特開２００５−３３０７９４号公報
【発明の開示】
【発明が解決しようとする課題】
【０００５】
本発明は上記の従来の問題点に鑑みて発明したものであって、従来のようなランナー縦軸のカシメ付け作業を省略できると共にカシメ強度不足による問題を解消でき、しかもランナー本体の組み立て作業にかかる手間とコストを大幅に削減できるようにした引戸のランナー装置を提供することを課題とするものである。
【課題を解決するための手段】
【０００６】
前記課題を解決するために請求項１記載の発明は、上レール５に走行自在に支持されるローラー３４を有するランナー本体２４と、引戸の上部に取着されたランナー連結部材４０と、ランナー連結部材４０とランナー本体２４とを連結するランナー縦軸３２とを備えた引戸のランナー装置において、前記ランナー縦軸３２の下端から上端に向かって、ランナー連結部材４０に穿孔されたねじ孔１１１の下面に当接する当接部３２ａと、ランナー連結部材４０のねじ孔１１１に螺合するねじ部３２ｂと、ランナー本体２４に穿孔された縦孔部２４ａに挿入される挿入部３２ｃとがこの順に形成され、前記ねじ部３２ｂには、ねじ部３２ｂに螺合しているランナー連結部材４０をランナー縦軸３２の当接部３２ａに向かって締め付けるための締結用ナット１１２が螺着され、前記挿入部３２ｃには、ランナー本体２４の縦孔部２４ａに対して挿入部３２ｃを回転自在に係止するための抜け止め部材１２０が設けられてなることを特徴としている。
【０００７】
また、請求項２記載の発明は、上レール５に走行自在に支持されるローラー３４を有するランナー本体２４と、引戸の上部に取着されたランナー連結部材４０と、ランナー連結部材４０とランナー本体２４とを連結するランナー縦軸３２とを備えた引戸のランナー装置において、前記ランナー縦軸３２の下端側には、ランナー連結部材４０に穿孔されたねじ孔１１１に螺合するねじ部３２ｂが形成されると共に該ねじ部３２ｂにランナー連結部材４０に向かって締め付けられる締結用ナット１１２が螺着され、ランナー縦軸３２の上端側には、ランナー本体２４に穿孔された縦孔部２４ａに挿入される挿入部３２ｃが形成されると共に該挿入部３２ｃにランナー本体２４の縦孔部２４ａに対して挿入部３２ｃを回転自在に係止するための抜け止め部材１２０が設けられてなることを特徴としている。
【０００８】
上記請求項１、２の構成を採用することで、ランナー縦軸３２の下端はランナー連結部材４０に回転しないようにねじ固定されるので、従来のようなカシメ付けではないため、カシメ部分でガタツキや外れが生じやすくなるといった問題がなくなり、そのうえ、ランナー縦軸３２の下端をランナー連結部材４０にねじ固定するにあたって、ランナー連結部材４０のねじ孔１１１と締結用ナット１１２とをそれぞれランナー縦軸３２のねじ部３２ｂに螺着させることで、ねじ部に対するダブルナット２００を構成できるようになり、ランナー縦軸３２がランナー連結部材４０に対して緩まないように締め付ける度合いを増すことができ、従って、継続的に振動が加えられた場合や振動が大きい場合であっても、締結状態の緩みを確実に防止でき、結果、ランナー装置の組み立て作業性を容易にしながら、ランナー連結部材４０に対するランナー縦軸３２の固定強度を高めることができるようになる。
【０００９】
また、請求項３記載の発明は、前記請求項１又は請求項２のいずれかにおいて、ランナー縦軸３２の挿入部３２ｃに設けられる抜け止め部材１２０が、挿入部３２ｃに装着される止め輪、或いは、挿入部３２ｃに一体形成される鍔部３２ｅのいずれかで構成されているのが好ましく、この場合、抜け止め部材１２０の構造を簡易にしながらランナー本体２４に対する挿入部３２ｃの抜け止め効果が十分に得られ、組み立て作業性を一層向上させることができる。
【発明の効果】
【００１０】
本発明にあっては、ランナー縦軸の下端をランナー連結部材にねじ固定することにより、従来のようなカシメ付け作業を省略できると共にカシメ強度不足による問題もなくなり、結果、ランナー本体の組み立て作業にかかる手間とコストを大幅に削減できるものである。
【発明を実施するための最良の形態】
【００１１】
以下、本発明を添付図面に示す実施形態に基いて説明する。
【００１２】
本実施形態の引戸装置は、図７、図８に示すように、閉じた状態で連続して隣り合う３枚引戸１〜３の組が、中央引戸３と、中央引戸３の右側方に配置される一方引戸２と、中央引戸３の左側方に配置される他方引戸１とからなり、前記３枚引戸１〜３の組は、閉じた状態では面一となるように配置され、後述の誘導機構１９により、面一に閉じられた状態において一方引戸２を他方引戸１側に向かって移動して一方引戸２を他方引戸１の前面に重なるように誘導し、且つ中央引戸３を他方引戸１側に向かって移動して他方引戸１の後に重なるように誘導して前後に重なり合う状態で開くことができるようになっている。
【００１３】
ここで、図７は、一方引戸２を他方引戸１側に向かって移動して一方引戸２を他方引戸１の前面に重なるように誘導し、且つ中央引戸３を他方引戸１側に向かって移動して他方引戸１の後面に重なるように誘導する第１の開き動作を示し、図８は、面一に閉じられた状態にある３枚引戸１〜３の組において他方引戸１を一方引戸２側に向かって移動して他方引戸１を一方引戸２の前面に重なるように誘導し、且つ中央引戸３を一方引戸２側に向かって移動して一方引戸２の後面に重なるように誘導する第２の開き動作を示し、図７、図８の例では、第１の開き動作と第２の開き動作のいずれかを任意に選択自在となっている。
【００１４】
次に、誘導機構１９を説明する。本実施形態の誘導機構１９は、図３〜図５に示すように、３枚引戸１〜３を走行自在にガイドする上レール５と、各引戸１〜３の上端部にそれぞれ設けた左右２個の上ランナー２１〜２３とを備えている。ここで、３枚引戸１〜３の扉枠４は、左右の縦枠４ａと上レール５と下レール６とで構成されている。
【００１５】
上レール５は、躯体に固定される上レール本体５０と、上レールカバー５１とで構成される。上レールカバー５１は、直進部レールカバー５１Ａ、曲進部レールカバー５１Ｂ、分岐部材１８等で構成される。そして、上レール本体５０に上レールカバー５１を取り付けた状態で、図９、図１０に示すように、上レール本体５０と上レールカバー５１との隙間に、前後方向Ａ，Ｂに並んで、溝状の共用レール部７と溝状の中央引戸用レール部８とが並設されるようになっている。共用レール部７は、左右両側の引戸１，２の各上端部の両端２箇所に設けた左右２個の上ランナー２１、２２をそれぞれ走行自在にガイドするものであり、中央引戸用レール部８は中央引戸３の上端部に設けた左右２個の上ランナー２３を走行自在にガイドするものである。なお図９中の２００は枠連結部材、Ｘは室内側、Ｙは天井側である。
【００１６】
前記共用レール部７は、上レール５の長手方向Ｍと平行に延びた前側直進レール部９と、前側直進レール部９の長手方向Ｍの両端側からそれぞれ後方Ｂに向って略Ｌ字状に屈曲した左右２個の外側曲進レール部１１と、前側直進レール部９の長手方向Ｍの両端側よりも内側に寄った２箇所からそれぞれ分岐して後方Ｂに向って略Ｌ字状に屈曲した左右２個の内側曲進レール部１２とを備えている。
【００１７】
前記中央引戸用レール部８は、前側直進レール部９と平行な後側直進レール部１０と、後側直進レール部１０における左右２個の内側曲進レール部１２と対向する位置よりもそれぞれ内側に寄った２箇所から前方Ａに向って半円形状に湾曲した左右２個の湾曲レール部１３とを備えている。本例では外側曲進レール部１１、内側曲進レール部１２、湾曲レール部１３は、曲進部レールカバー５１Ｂに各々形成されている。なお、曲進部レールカバー５１Ｂは分岐部材１８を介して上レール本体５０に対してネジ止め固定されており、直進部レールカバー５１Ａは上レール本体５０に対してネジ止め固定されている。
【００１８】
ここにおいて、前記前側直進レール部９に設けた左右２個の外側曲進レール部１１の後端部と、左右２個の内側曲進レール部１２の後端部と、後側直進レール部１０における左右２個の湾曲レール部１３の前端部とは、前側直進レール部９、後側直進レール部１０と平行な仮想直線上に位置している。また、左側の外側曲進レール部１１の後端部と左側の内側曲進レール部１２の後端部との間の距離は他方引戸１の左右の上ランナー２２間の距離に等しく、また、右側の外側曲進レール部１１の後端部と右側の内側曲進レール部１２の後端部との間の距離は一方引戸２の左右の上ランナー２１間の距離に等しく、更に、左右の湾曲レール部１３の前端部間の距離は中央引戸３の左右の上ランナー２３間の距離に等しく設定してある。
【００１９】
ここで、図６（ａ）に示す閉状態では、他方引戸１の各上ランナー２１が左側に位置する外側曲進レール部１１と内側曲進レール部１２の各後端部にそれぞれ入り込み、中央引戸３の各上ランナー２３が左右２個の湾曲レール部１３の各前端部にそれぞれ入り込み、且つ一方引戸２の各上ランナー２２が右側に位置する外側曲進レール部１１と内側曲進レール部１２の各後端部にそれぞれ入り込むことで、各引戸１〜３が上レール５の長手方向Ｍと平行な同一平面となるように並置される。
【００２０】
一方、図６（ｄ）に示す右開き状態では、他方引戸１の各上ランナー２１が左側に位置する外側曲進レール部１１と内側曲進レール部１２の各後端部にそれぞれ入り込み、中央引戸３の各上ランナー２３が後側直進レール部１０の左側にそれぞれ移動し、且つ一方引戸２の各上ランナー２２が前側直進レール部９の左側にそれぞれ移動することで、手前から順に一方引戸２と他方引戸１と中央引戸３とが重ねて並置される。
【００２１】
また、図８の左開き状態では、一方引戸２の各上ランナー２２が右側に位置する外側曲進レール部１１及び内側曲進レール部１２の各後端部にそれぞれ入り込み、中央引戸３の各上ランナー２３が後側直進レール部１０の右側にそれぞれ移動し、且つ、他方引戸１の各上ランナー２１が前側直進レール部９の右側にそれぞれ移動することで、手前から順に他方引戸１と一方引戸２と中央引戸３とが重ねて並置され、これら右開き状態と左開き状態とは選択自在となっている。つまり、誘導機構１９は、一方引戸２と中央引戸３と他方引戸１とを前後に重ねた状態で、中央引戸３を他方引戸１と重ならない位置に移動して他方引戸１と面一となるように誘導し、且つ一方引戸２を他方引戸１及び中央引戸３とは重ならない位置に移動して中央引戸３と面一となるように誘導する機能も兼ねている。
【００２２】
次に連動機構１５を説明する。
【００２３】
図６は連動機構１５の一例を示し、右開きの具体例を示している。ここでは、各引戸１〜３の相互の突き合わせ部には、互いに対向する一対の隙間隠し用Ｌ形部材１６が取り付けられている。また、図６（g）（ｈ）に示すように、操作側引戸の把手側の上端面から中央引戸３の移動径路に向って突出する当たり部１５ａと、当たり部１５ａの先端に設けた鉤形のフック部１５ｂと、中央引戸３の上端面から突出して当たり部１５ａに当接可能で且つフック部１５ｂに係脱可能な受け部材１５ｃとで構成されている。そして例えば右開きにする場合は、一方引戸２と中央引戸３とが図６（ａ）のように左右にずれた状態では受け部材１５ｃは当たり部１５ａ及びフック部１５ｂとは干渉せず、一方引戸２と中央引戸３とが図６（ｂ）のように概ね重なる段階で受け部材１５ｃが当たり部１５ａに片当たりして一方引戸２と中央引戸３との連動が始まり、図６（ｃ）のように他方引戸１を挟んで一方引戸２と中央引戸３とが前後に離反する段階で受け部材１５ｃが当たり部１５ａからフック部１５ｂに係合した状態となる。この係合状態は一方引戸２及び中央引戸３開位置になるまで持続される。逆に閉じる場合は、受け部材１５ｃがフック部１５ｂに入りこんでいるために、一方引戸２を途中まで閉じる段階までは中央引戸３は連動し、中央引戸３の閉位置で受け部材１５ｃがフック部１５ｂから外れ、さらに当たり部１５ａから離れることで、一方引戸２を閉位置まで単独で移動させることができる。従って、連動機構１５によって中央引戸３を連動させて開閉することが可能となり、中央引戸３を手で開閉する必要がなくなり、開閉操作がきわめて容易となる。
【００２４】
ところで、引戸２，３の上端部に連動機構１５を設けている場合、引戸２，３の連動開始時や引戸の全閉時に、フック部１５ｂを回転中心、把手部を力点として、把手が取り付けられていない側の引戸の端部側に浮き上がりが発生しやすい。この浮き上がりが発生すると、商品としての品位を損なうだけでなく、フック部１５ｂ（図６（ｈ））が上レール５と接触して傷がついたり、或いは引戸の浮き上がりと同時にランナー本体２４が浮き上がり、上レール５内部の分岐部材１８を破損させるといった問題がある。そこで、本例では、図４に示すように、ランナー連結部材４０と上レール５との間に、樹脂製ワッシャーからなる浮き上がり防止スペーサ１２０を配置している。これにより、引戸の浮き上がりを最小限に押えるだけでなく、浮き上がりによる上レール５の傷付きを防止でき、さらに分岐部材１８の破損を防止できるようになる。
【００２５】
ここで本発明においては、上ランナー２１〜２２において、それぞれ、図１に示すように、ランナー縦軸３２の下端から上端に向かって、ランナー連結部材４０に穿孔されたねじ孔１１１の下面に当接する鍔形状をした当接部３２ａと、ランナー連結部材４０のねじ孔１１１に螺合するねじ部３２ｂと、ランナー本体２４に穿孔された縦孔部２４ａに挿入される挿入部３２ｃとがこの順に形成されている。本例のねじ部３２ｂはランナー縦軸３２の全長に亘って形成されており、当接部３２ａに近いねじ部３２ｂに締結用ナット１１２が螺着されている。この締結用ナット１１２は、当接部３２ａとの間でランナー連結部材４０を上下から締め付けるためのものである。また、挿入部３２ｃにはランナー本体２４の縦孔部２４ａに対して挿入部３２ｃを回転自在に係止するための抜け止め部材１２０が装着されている。本例では、縦孔部２４ａの内周面にフランジ１１３ａ付きカラー１１３が圧入されており、カラー１１３のフランジ１１３ａが縦孔部２４ａに設けた段差部４０ｂに係止している。このカラー１１３の内側にランナー縦軸３２の挿入部３２ｃが遊挿されており、これによって挿入部３２ｃはカラー１１３に対して回転自在に保持されている。また挿入部３２ｃを抜け止めするための抜け止め部材１２０として、Ｅリング１２０ａのような止め輪が用いられる。ここでは、ランナー縦軸３２の挿入部３２ｃの先端に環状凹所３２ｄを形成し、この環状凹所３２ｄにＥリング１２０ａを嵌着しており、Ｅリング１２０ａがカラー１１３のフランジ１１３ａに当たることで、挿入部３２ｃが縦孔部２４ａから抜け出るのが防がれている。
【００２６】
なお抜け止め部材１２０としてＥリング１２０ａに代えて、例えば薄板金属製のプッシュナットのような止め輪を挿入部３２ｃの先端に嵌着するようにしてもよい。この場合、プッシュナットがカラー１１３のフランジ１１３ａに弾接することで、縦孔部２４ａに対する挿入部３２ｃの上下のガタツキをより吸収できるようになる。
【００２７】
なお本例では、ランナー本体２４のランナー縦軸３２よりも前方Ａ又は後方Ｂのいずれかに寄せて補助ローラー２５ａ又は２５ｂが取付軸３７にて各々取り付けられている。さらに図４に示す例では、各引戸１〜３において、前記補助ローラー２５ａと補助ローラー２５ｂの突出高さ及びその突出位置を異ならせている。ここでは図４に示すように、一方引戸２及び他方引戸１の左側の補助ローラー２５ｂを手前側の位置から高く突出させ、右側の補助ローラー２５ａを後前側の位置から低く突出させている。また、中央引戸３の左側の補助ローラー２５ａを手前側の位置から低く突出させ、右側の補助ローラー２５ｂを後側の位置から高く突出させている。一方、第１の補助レール１８ａは、前側直進レール部９よりも手前側の位置から左側の外側曲進レール部１１に沿って短く垂下しており、第２の補助レール１８ｂは、前側直進レール部９よりも後側の位置から左側の内側曲進レール部１２に沿って長く垂下している。さらに、前側直進レール部９及び後側直進レール部１０に沿って、それぞれ、ランナー本体２４の両側面をガイドする前後一対のガイドリブ３８を設け、前記外側曲進レール部１１、内側曲進レール部１２、湾曲レール部１３の各分岐点とそれぞれ対向するガイドリブ３８の一部に、分岐部材１８によって曲進するランナー本体２４を外側曲進レール部１１又は内側曲進レール部１２又は湾曲レール部１３のいずれかに進行させるための切欠穴３９（図１０）を形成している。なお、補助ローラー２５ａ，２５ｂの高さ及び位置を異ならせることで、外側曲進レール部１１、内側曲進レール部１２、湾曲レール部１３の各分岐点において引戸１〜３の進行方向を直進か曲進かを決める構造は、例えば特開２００５−３３０７９４号公報に詳細に示されており、詳細な説明は省略する。
【００２８】
次に上ランナー２１（２２，２３）を組み立てるにあたっては、先ず、ランナー縦軸３２のねじ部３２ｂをランナー連結部材４０のねじ孔１１１の下方から上方に向かって螺入して、当接部３２ａをランナー連結部材４０の下面に当接させる。そしてランナー連結部材４０の上方に突出する挿入部３２ｃの上から締結用ナット１１２を螺合して、締結用ナット１１２をランナー連結部材４０に向かって締め付ける。これにより、締結用ナット１１２と当接部３２ａとの間でランナー連結部材４０が上下から挟圧されて、ランナー縦軸３２の下端をランナー連結部材４０に対して回り止めした状態で固定することができる。さらに、挿入部３２ｃにランナー本体２４の縦孔部２４ａのカラー１１３を遊挿した後に、挿入部３２ｃの先端にＥリング１２０ａを嵌着する。これにより、ランナー本体２４が挿入部３２ｃに対して回転自在に且つ抜け止め状態で係止されるようになる。
【００２９】
しかして、ランナー縦軸３２の下端はランナー連結部材４０に回転しないようにねじ固定されており、従来のようなカシメ付け作業を省略できると共にカシメ強度不足による問題もなくなり、従って、ランナー本体２４の組み立て作業にかかる手間とコストを大幅に削減できるものである。しかも、従来のようなカシメ部分でガタツキや外れが生じやすくなる恐れもなくなるため、ランナー装置の高品質化を容易に図ることができる。
【００３０】
さらに、ランナー縦軸３２の下端をランナー連結部材４０にねじ固定するにあたって、ランナー連結部材４０のねじ孔１１１と締結用ナット１１２とをそれぞれランナー縦軸３２のねじ部３２ｂに螺着させることで、ねじ部３２ｂに対するダブルナット２００を構成できるようになり、ランナー縦軸３２がランナー連結部材４０に対して緩まないように締め付ける度合いを増すことができる。従って、継続的に振動が加えられた場合や振動が大きい場合であっても、締結状態の緩みを確実に防止することができるので、ランナー連結部材４０に対するランナー縦軸３２の固定強度をより高めることができる利点もある。
【００３１】
図２は本発明の他の実施形態を示している。異なる点だけを述べると、本例では、ランナー縦軸３２の下端側のみに、ランナー連結部材４０に穿孔されたねじ孔１１１に螺合するねじ部３２ｂが形成されると共に該ねじ部３２ｂにはランナー連結部材４０に向かって締め付けられる締結用ナット１１２が螺着されている。また、挿入部３２ｃにはねじ部３２ｂは設けられず、この挿入部３２ｃがランナー本体２４に穿孔された縦孔部２４ａに遊挿されると共に該挿入部３２ｃにランナー本体２４の縦孔部２４ａに対して挿入部３２ｃを回転自在に係止するための抜け止め部材１２０が設けられている。本例の抜け止め部材１２０は、挿入部３２ｃの先端に一体形成された鍔部３２ｅで構成されている。これにより、図１の実施形態と同様、ねじ部３２ｂに対するダブルナット２００を構成できるようになり、しかも、抜け止め部材１２０とランナー縦軸３２との一体化が図られ、部品数を削減でき、上ランナー２１（２２，２３）の構成をより簡素化することができる。もちろん抜け止め部材１２０として、図１の実施形態で示したＥリング１２０ａ、或いは、プッシュナットのような止め輪を用いてもよい。
【００３２】
本発明に係る引戸のランナー装置は、クローゼットの扉以外に各種の開閉扉の分野に広く適用可能である。
【図面の簡単な説明】
【００３３】
【図１】（ａ）は本発明の一実施形態に用いる上ランナーの断面図、（ｂ）は挿入部にＥリングを装着する場合の説明図である。
【図２】本発明の他の実施形態の断面図である。
【図３】同上の上レールにランナー本体を吊り下げ支持した状態の説明図である。
【図４】（ａ）（ｂ）は同上のランナー本体を取り付けた状態の説明図である。
【図５】（ａ）は同上の引戸装置の正面図、（ｂ）は平面図、（ｃ）は側面図である。
【図６】（ａ）〜（ｄ）は同上の引戸の閉状態から右開き状態への移行を具体的に説明する平面図、（ｅ）は（ａ）のイ部の拡大図、（ｆ）は（ａ）のロ部の拡大図、（ｇ）は（ａ）のハ部の拡大図、（ｈ）は（ａ）のニ部の拡大図である。
【図７】同上の３枚引戸の右開き動作の説明図である。
【図８】同上の３枚引戸の左開き動作の説明図である。
【図９】同上の誘導機構を下方から見た斜視図である。
【図１０】同上の誘導機構の分解斜視図である。
【図１１】（ａ）は従来の上ランナーの分解斜視図、（ｂ）（ｃ）は組み立て状態の斜視図である。
【符号の説明】
【００３４】
５  上レール
２４  ランナー本体
２４ａ  縦孔部
３２  ランナー縦軸
３２ａ  当接部
３２ｂ  ねじ部
３２ｃ  挿入部
３２ｅ  鍔部
３４  ローラー
４０  ランナー連結部材
１１１  ねじ孔
１１２  締結用ナット
１２０  抜け止め部材
１２０ａ  Ｅリング
【図１】
2007315106.tif 000003
【図２】
2007315106.tif 000004
【図３】
2007315106.tif 000005
【図４】
2007315106.tif 000006
【図５】
2007315106.tif 000007
【図６】
2007315106.tif 000008
【図７】
2007315106.tif 000009
【図８】
2007315106.tif 000010
【図９】
2007315106.tif 000011
【図１０】
2007315106.tif 000012
【図１１】
2007315106.tif 000013